(57)【要約】【課題】使用者の頸部に熱を伝えやすいマッサージ機を提供する。【解決手段】金網で構成された頸部温熱部の接触部を頸部に押圧すると、接触部が頸部の形状に合わせて変形して、頸部にかかる圧力を調整する。また、接触部が頸部の形状に合わせて変形することによって、頸部と接触部が接触する面積が広くなる。【選択図】図３
2013106834.tif 000002
【特許請求の範囲】
【請求項１】
使用者が着座可能な座部と、当該座部の後部に設けられる背もたれ部と、を有し、前記背もたれ部内に施療子を備えるマッサージ機構を設け、当該マッサージ機構により前記使用者の身体をマッサージするマッサージ機において、
前記施療子は、前記使用者の身体を押圧する揉み玉と、熱源と、熱源からの熱を人体に伝達可能な前記揉み玉とは異なる熱伝達手段を１又は複数備え、
熱伝達手段のうち少なくとも１の熱伝達手段が揉み玉よりも頸部側へ突出する態様で構成され、前記熱伝達手段が頸部に加える圧力を調節する機能を有することを特徴とするマッサージ機。
【請求項２】
前記熱伝達手段は、熱伝導率の高い部材であって、且つ、頸部に対向する方向に弾性力を持つように構成されていることを特徴とする請求項１に記載のマッサージ機。
【請求項３】
前記施療子は、頸部に対向する方向に弾性力を持つ弾性部材を介して前記熱伝達手段を備えることを特徴する請求項１及び請求項２に記載のマッサージ機。
【請求項４】
前記熱伝達手段の頸部と接触する接触面は、横方向の長さよりも縦方向に長く形成することを特徴とする請求項１〜請求項３のうち何れか一項に記載のマッサージ機。
【請求項５】
使用者が着座可能な座部と、当該座部の後部に設けられる背もたれ部と、を有し、前記背もたれ部内に施療子を備えるマッサージ機構を設け、当該マッサージ機構により前記使用者の身体をマッサージするマッサージ機において、
前記施療子は、前記使用者の身体を押圧する揉み玉と、熱源と、熱源からの熱を人体に伝達可能な前記揉み玉とは異なる熱伝達手段を１又は複数備え、
熱伝達手段のうち少なくとも１の熱伝達手段が揉み玉よりも頸部側へ突出する態様で構成されるとともに、当該熱伝達手段において頸部と接触する接触面は、横方向の長さよりも縦方向の長さが長く形成されていること特徴とするマッサージ機。
【請求項６】
使用者が着座可能な座部と、当該座部の後部に設けられる背もたれ部と、を有し、前記背もたれ部に施療子を備えるマッサージ機構を設け、当該マッサージ機構により前記使用者の身体をマッサージするマッサージ機において、
前記施療子は、前記使用者の身体を押圧する揉み玉と、熱源と、熱源からの熱を人体に伝達可能な前記揉み玉とは異なる熱伝達手段を１又は複数備え、
前記熱伝達手段の頸部と接触する接触面を頸部に接触させる際には、前記接触面と頸部が接触する面積が広くなるように前記接触面が向く角度を調節する調節機構を備えたことを特徴とするマッサージ機。
【発明の詳細な説明】
【技術分野】
【０００１】
本発明は、背もたれ部にマッサージ機構及び熱源が組み込まれたマッサージ機に関するものである。
【背景技術】
【０００２】
従来、背もたれ部に揉み玉を有するマッサージ機構を組み込んだ椅子型のマッサージ機は、背中のつぼや経絡に揉み玉を当てて所定の動作をさせ、血行を促進させることで肩や背中の凝りを解消させるものであって、従来から提案されている。このようなマッサージ機は、一般家庭や公的施設等にも広く普及している。
【０００３】
また、近年のマッサージ機では、マッサージ機構に熱源を設けることで揉み玉の押圧動作によるマッサージに加えて温熱療法を行うものが開発されている（例えば、特許文献１）。
【先行技術文献】
【特許文献】
【０００４】
【特許文献１】特開２０１１−６２４４８号公報
【発明の概要】
【発明が解決しようとする課題】
【０００５】
ところで、頸部（首）は生命維持に不可欠な神経や血管等が集中しており、背部、腰部及び肩部と比較して、押圧し難い部位である。したがって、特許文献１のマッサージ機においては、頸部への伝熱を主目的とする第２伝熱部を施療部（頸部）に押圧し難くなる。このため、第２伝熱部は、背部、腰部及び肩部への伝熱を主目的とする第１伝熱部と比較して施療部に熱を伝え難くなり、その結果、施療部を十分に温められない可能性があった。
【０００６】
この発明は、このような従来の技術に存在する問題点に着目してなされたものである。その目的は、使用者の頸部に熱を伝えやすいマッサージ機を提供することにある。
【課題を解決するための手段】
【０００７】
上記目的を達成するために、本発明のマッサージ機は、使用者が着座可能な座部と、当該座部の後部に設けられる背もたれ部と、を有し、前記背もたれ部内に施療子を備えるマッサージ機構を設け、当該マッサージ機構により前記使用者の身体をマッサージするマッサージ機において、前記施療子は、前記使用者の身体を押圧する揉み玉と、熱源と、熱源からの熱を人体に伝達可能な前記揉み玉とは異なる熱伝達手段を１又は複数備え、熱伝達手段のうち少なくとも１の熱伝達手段が揉み玉よりも頸部側へ突出する態様で構成され、前記熱伝達手段が頸部に加える圧力を調節する機能を有することを特徴とする。
【０００８】
また、本発明のマッサージ機において、前記熱伝達手段は、熱伝導率の高い部材であって、且つ、頸部に対向する方向に弾性力を持つように構成されることが好ましい。
また、本発明のマッサージ機において、前記施療子は、頸部に対向する方向に弾性力を持つ弾性部材を介して前記熱伝達手段を備えることが好ましい。
【０００９】
また、本発明のマッサージ機において、前記熱伝達手段の頸部と接触する接触面は、横方向の長さよりも縦方向に長く形成することが好ましい。
また、本発明のマッサージ機において、使用者が着座可能な座部と、当該座部の後部に設けられる背もたれ部と、を有し、前記背もたれ部内に施療子を備えるマッサージ機構を設け、当該マッサージ機構により前記使用者の身体をマッサージするマッサージ機において、前記施療子は、前記使用者の身体を押圧する揉み玉と、熱源と、熱源からの熱を人体に伝達可能な前記揉み玉とは異なる熱伝達手段を１又は複数備え、熱伝達手段のうち少なくとも１の熱伝達手段が揉み玉よりも頸部側へ突出する態様で構成されるとともに、当該熱伝達手段において頸部と接触する接触面は、横方向の長さよりも縦方向の長さが長く形成されていることが好ましい。
【００１０】
また、上記目的を達成するために、使用者が着座可能な座部と、当該座部の後部に設けられる背もたれ部と、を有し、前記背もたれ部に施療子を備えるマッサージ機構を設け、当該マッサージ機構により前記使用者の身体をマッサージするマッサージ機において、前記施療子は、前記使用者の身体を押圧する揉み玉と、熱源と、熱源からの熱を人体に伝達可能な前記揉み玉とは異なる熱伝達手段を１又は複数備え、前記熱伝達手段の頸部と接触する接触面を頸部に接触させる際には、前記接触面と頸部が接触する面積が広くなるように前記接触面が向く角度を調節する調節機構を備えることが好ましい。
【発明の効果】
【００１１】
本発明によれば、使用者の頸部に熱を伝えやすくすることができる。
【図面の簡単な説明】
【００１２】
【図１】マッサージ機の外観を示す斜視図。
【図２】一対の施療子のうち１の施療子の断面図。
【図３】第１実施形態における施療子の頸部温熱部の接触部を頸部に押圧させた際の態様を示す模式図。
【図４】第２実施形態における一対の施療子のうち１の施療子の断面図。
【図５】第２実施形態における施療子の頸部温熱部の接触部を頸部に押圧させた際の態様を示す模式図。
【図６】第３実施形態における一対の施療子のうち１の施療子の断面図。
【図７】第３実施形態における施療子の頸部温熱部の接触部を頸部に押圧させた際の態様を示す模式図。
【図８】（ａ）及び（ｂ）は、第４実施形態における一対の施療子のうち１の施療子の断面図。
【図９】第４実施形態における施療子の頸部温熱部の接触部を頸部に押圧させた際の態様を示す模式図。
【発明を実施するための形態】
【００１３】
（第１実施形態）
以下、本発明を具体化した第１実施形態を図１〜図３にしたがって説明する。
図１は、本実施形態のマッサージ機１０の概略構成を示す。
【００１４】
以下の説明において、マッサージ機１０について、マッサージ機１０の正面視且つ幅方向Ｘにおいて、中心側から外側に向かう方向を「外方向Ｘ１」とし、外側から中心側に向かう方向を「内方向Ｘ２」として示す。また、背もたれ１３の正面視且つ高さ方向Ｙにおいて、下側から上側に向かう方向を「上方向Ｙ１」とし、上側から下側に向かう方向を「下方向Ｙ２」とする。
【００１５】
図１に示すように、マッサージ機１０の脚部１１は図示しない床面に載置されるとともに、その脚部１１の上部には使用者が着座可能な座部１２が固定されている。その座部１２の後部には、使用者が背中をもたれ掛けさせるための背もたれ部１３が傾動可能に設けられるとともに、座部１２の前部には使用者の脚を載せることができるオットマン１４が傾動可能に設けられている。また、使用者の腕を置くための肘掛け部１５が背もたれ部１３から座部１２の両側前方にかけて設けられている。
【００１６】
背もたれ部１３は、背もたれ部本体１３ａと、この背もたれ部本体１３ａの前面を覆うカバー部１３ｂと、で構成される。背もたれ部本体１３ａは、前面が開口された硬質樹脂材料からなる図示しない本体ケース内に、背もたれ部１３の上下方向に沿って図示しないガイドレールが設けられ、このガイドレールに沿って上下方向に移動可能にマッサージ機構２０が組み付けられている。
【００１７】
以下、マッサージ機構２０の構成について、図２に基づき説明する。
マッサージ機構２０は、身体をマッサージする揉み玉２１と、身体の主に肩部、背部及び腰部に温度刺激を付与する熱伝達手段としての背部温熱部２２と、身体の主に頸部に温度刺激を付与する熱伝達手段としての頸部温熱部２３と、を有している。更に、マッサージ機構２０は、揉み玉２１、背部温熱部２２及び頸部温熱部２３を支持するとともにガイドレールと接続されるアーム２４と、ガイドレールに沿ってマッサージ機構２０の位置を高さ方向Ｙに移動させるための図示しない駆動モータと、を有している。
【００１８】
アーム２４には、背部温熱部２２が固定されている。また、背部温熱部２２には、揉み玉２１を支持する円柱状の支持部２５が内方向Ｘ２に突出するように形成されている。また、背部温熱部２２の内部には、熱源となるヒータ３０が設けられている。なお、背部温熱部２２の材料としては、熱伝導性（熱伝導率）と剛性の高い素材であるアルミニウムが用いられている。
【００１９】
また、背部温熱部２２には、揉み玉２１が、背部温熱部２２に対して回転可能な状態で支持されている。具体的には、揉み玉２１は、背部温熱部２２に対する回転を支持する第１軸受３２と第２軸受３３を有する。また、揉み玉２１、第１軸受３２及び第２軸受３３は、支持部２５に挿入される孔２１ａ，３２ａ，３３ａが形成されている。
【００２０】
また、背部温熱部２２の支持部２５の先端部には、頸部温熱部２３が固定されている。また、頸部温熱部２３には、円柱状の突出部２３ａが外方向Ｘ１に突出するように形成されている。また、突出部２３ａには、支持部２５に挿入される孔２３ｂが形成されている。
【００２１】
以下、支持部２５に挿入される第１軸受３２、揉み玉２１、第２軸受３３及び頸部温熱部２３の構成について具体的に説明する。
背部温熱部２２の支持部２５には、最初に第１軸受３２（の孔３２ａ）が挿入される。第１軸受３２の孔３２ａの直径は、支持部２５の外径と同一となっている。また、第１軸受３２は、外方向Ｘ１の端部が外径方向に突出して形成され、底が直角を成した溝３２ｂを有している。なお、第１軸受３２の材料としては、熱伝導性の低い合成樹脂が用いられている。
【００２２】
また、支持部２５には、第１軸受３２の次に、揉み玉２１（の孔２１ａ）が挿入され、その次に、第２軸受３３（の孔３３ａ）が挿入される。第２軸受３３の孔３３ａの直径は、頸部温熱部２３の突出部２３ａの外径と同一となっている。また、第２軸受３３は、内方向Ｘ２の端部が外径方向に突出して形成され、底が直角を成した溝３３ｂを有している。
【００２３】
そして、第１軸受３２と第２軸受３３を支持部２５に挿入した際には、溝３２ｂと溝３３ｂによって、各軸受３２，３３の外径方向に凹部が形成されるようになっている。この凹部には、揉み玉２１が挟持されるようになっている。このため、揉み玉２１の孔２１ａの直径は、溝３２ｂと溝３３ｂによって形成される凹部のうち、底面となる部分の外径と同一になっている。なお、第２軸受３３の材料としては、熱伝導性の低い合成樹脂が用いられており、揉み玉２１の材料としては、ゴム材料が用いられている。
【００２４】
また、支持部２５には、第２軸受３３の次に、揉み玉２１よりも内方向Ｘ２（頸部側）に位置し、揉み玉よりも内方向Ｘ２に突出するように頸部温熱部２３（の孔２３ｂ）が挿入される。頸部温熱部２３の孔２３ｂの直径は、支持部２５の外径と同一となっているため、孔２３ｂの内周面と支持部２５の外周面が接触するようになっている。また、この頸部温熱部２３が支持部２５に固定されることによって、支持部２５に挿入される第１軸受３２、揉み玉２１及び第２軸受３３が支持部２５から外れないようになっている。
【００２５】
また、頸部温熱部２３は、頸部温熱部２３のうち人体の頸部と接触する部分となるとともに、頸部と対向する方向に弾性力を持つ接触部２３ｃを有している。接触部２３ｃは、針金が平織り状に編みこまれた金網を半球形状に成形して構成されている。そして、半球形状に構成された接触部２３ｃは、その球面を内方向Ｘ２（頸部側）に突出させるようにして、頸部温熱部２３に設けられている。なお、頸部温熱部２３及び接触部２３ｃの材料としては、熱伝導性が高い素材となるアルミニウムが用いられている。このように、ヒータ３０が発熱すると、その熱は、背部温熱部２２の支持部２５から、支持部２５と接触する頸部温熱部２３の突出部２３ａへと伝わる。そして、突出部２３ａへ伝わった熱は、接触部２３ｃへと伝わることになる。
【００２６】
以下、本実施形態における作用について説明する。
本実施形態における頸部温熱部２３（の接触部２３ｃ）を人体の頸部に接触させて、頸部に対して温度刺激を付与する際の態様について、図３に基づき説明する。
【００２７】
頸部温熱部２３の接触部２３ｃを人体の頸部に接触させたとき、接触部２３ｃは、接触させられた圧力によって、頸部の形に沿った形状に変形する。また、接触部２３ｃの形状が、頸部の形に沿った形状に変形するので、頸部と接触部２３ｃが接触する面積が大きくなる。また、接触部２３ｃの持つ弾性力によって、接触部２３ｃが頸部表面に密着する。
【００２８】
本実施形態によれば、以下の効果を奏することができる。
（１）頸部温熱部２３の接触部２３ｃを、頸部と対向する方向に弾性力を持つように構成したため、ある程度の圧力で接触部２３ｃを頸部に接触させたとしても、接触部２３ｃが変形して頸部に加える圧力を調節できるようにした。このため、頸部温熱部２３は、頸部に加える圧力を調節できる機能を有し、その機能によって、頸部温熱部２３（の接触部２３ｃ）を程良く頸部に押圧することができ、頸部に対して熱を伝え易くなる。
【００２９】
（２）頸部に対して頸部温熱部２３の接触部２３ｃが押圧されると、頸部の形状に沿って接触部２３ｃの形状が変形するため、頸部と接触部２３ｃが接触する面積が大きくなり、頸部に対して熱を伝え易くなる。また、頸部に対して接触部２３ｃが押圧されても接触部２３ｃの形状が変形するため、頸部に対して無理な圧力を加えることがない。
【００３０】
（３）接触部２３ｃを含む頸部温熱部２３は、熱伝導性（熱伝導率）の高い部材であるアルミニウムで構成されているため、ヒータ３０からの熱を頸部に伝え易い。
（第２実施形態）
図４及び図５を参照して、本発明の第２実施形態について説明する。なお、第１実施形態と同様の構成については、同一の符号を付してその説明を省略又は簡略化する。
【００３１】
本実施形態では、第１実施形態と異なり頸部温熱部２３の位置が幅方向Ｘに動くようになっている。具体的には、図４に示すように、頸部温熱部２３と背部温熱部２２の間に、幅方向Ｘに弾性力を持つようにして螺旋状のバネ４０が介設されている。また、支持部２５には、バネ４０が挿入されるようになっている。また、バネ４０の両端のうち一端は背部温熱部２２に圧接され、他端は頸部温熱部２３の突出部２３ａの先端に圧接されている。また、頸部温熱部２３は、支持部２５から外れないように抜け止めされている。このため、頸部温熱部２３やバネ４０、第１軸受３２、揉み玉２１、第２軸受３３が支持部２５から外れないようになっている。なお、バネ４０の材料としては、熱伝導性の高い素材となるアルミニウムが用いられている。
【００３２】
また、本実施形態において第１軸受３２の孔３２ａの直径は、バネ４０の直径よりも長い長さに設定されている。また、本実施形態における支持部２５の外周面と、その外周面と接触する孔２３ｂの内周面には、熱伝導性の高いグリース（潤滑剤）が塗布されている。
【００３３】
また、本実施形態における頸部温熱部２３のうち頸部に接触する部分となる接触部２３ｃは、金属の表面を湾曲させて形成した部材で構成されている。なお、頸部温熱部２３及び接触部２３ｃの材料としては、第１実施形態と同様に、熱伝導性が高い素材となるアルミニウムが用いられている。
【００３４】
以下、本実施形態における作用について説明する。
本実施形態における頸部温熱部２３（の接触部２３ｃ）を人体の頸部に接触させて、頸部に対して温度刺激を付与する際の態様について、図５に基づき説明する。
【００３５】
頸部温熱部２３の接触部２３ｃを人体の頸部に接触する地点から、更に接触部２３ｃを頸部に密着させようとすると、バネ４０の幅方向Ｘの長さが短くなり、頸部温熱部２３の位置が頸部と対向する方向（外方向Ｘ１）に移動する。
【００３６】
本実施形態によれば、第１実施形態に記載の（３）の効果に加えて、以下の効果を奏することができる。
（４）頸部温熱部２３をある程度の圧力で頸部に押圧したとしても、バネ４０（弾性部材）が変形（伸縮）して頸部にかかる圧力を軽減させることができる。それとともに、頸部に対向する方向にバネ４０の弾性力が働くようにバネ４０を設けたため、バネ４０の弾性力よって頸部温熱部２３（の接触部２３ｃ）を頸部に密着させることができる。このため、熱を頸部に伝え易くなる。
【００３７】
（第３実施形態）
図６及び図７を参照して、本発明の第３実施形態について説明する。なお、第１実施形態と同様の構成については、同一の符号を付してその説明を省略又は簡略化する。
【００３８】
本実施形態おいて接触面となる頸部温熱部２３のうち頸部に接触する部分となる接触部２３ｃは、図６（ａ）に示すように、頸部から見て、金属板を横方向の長さよりも縦方向の長さを長くして成形して構成されている。また、接触部２３ｃは、図６（ｂ）に示すように、複数の頸部表面の形状のデータを下に算出された頸部表面の形状に沿うように、湾曲して成形されている。なお、頸部温熱部２３及び接触部２３ｃの材料としては、第１実施形態と同様に、熱伝導性が高い素材となるアルミニウムが用いられている。
【００３９】
以下、本実施形態における作用について説明する。
本実施形態における頸部温熱部２３（の接触部２３ｃ）を人体の頸部に接触させて、頸部に対して温度刺激を付与する際の態様について、図７に基づき説明する。
【００４０】
頸部温熱部２３の接触部２３ｃを人体の頸部に接触させた際、接触部２３ｃは、頸部の表面の形状に沿った形を成していることから、人体の頸部表面に密着するように接触部２３ｃが人体の頸部に接触する。
【００４１】
本実施形態によれば、第１実施形態に記載の（３）の効果に加えて、以下の効果を奏することができる。
（５）一般的に、人体の頸部の表面は、横方向には湾曲している一方で、縦方向には平らな形状をしている。更に、人体の頸部の表面のうち縦方向の形状（平らな形状）は、横方向の形状（湾曲した形状）よりも、個人差が小さい。このことから、接触部２３ｃの形状を、横方向の長さよりも縦方向の長さが長い形とした。このため、どのような使用者が使用したときでも、接触部２３ｃが頸部と接触する面積を広くすることができ、熱を頸部に伝え易くなる。また、頸部温熱部２３の接触部２３ｃを頸部に接触させる圧力が弱かったとしても、接触部２３ｃから頸部へと熱が伝え易くなる。
【００４２】
（第４実施形態）
図８及び図９を参照して、本発明の第４実施形態について説明する。なお、第１実施形態と同様の構成については、同一の符号を付してその説明を省略又は簡略化する。
【００４３】
本実施形態における頸部温熱部２３のうち頸部に接触する部分（接触面）となる接触部２３ｃは、金属の表面を湾曲させて形成した部材で構成されている。なお、頸部温熱部２３及び接触部２３ｃの材料としては、第１実施形態と同様に、熱伝導性が高い素材となるアルミニウムが用いられている。
【００４４】
本実施形態では、図８（ａ）に示すように、第１軸受３２と第２軸受３３が支持部２５に挿入されない。本実施形態では、第１軸受３２の代わりに、軸受１３２が支持部２５に挿入される。軸受１３２は、支持部２５に挿入するための孔１３２ａが形成されているとともに、支持部２５の外周面の全てを覆うような形状を成している。更に、軸受１３２は、外方向Ｘ１の端部が外径方向に突出して形成され、底が直角の溝１３２ｂを有している。また、軸受１３２が支持部２５から外れないように、軸受１３２の孔１３２ａを支持部２５に挿入した後、背部温熱部２２に軸受１３２が固定されている。また、揉み玉２１が軸受１３２から外れないように、揉み玉２１の孔２１ａを支持部２５に挿入した後、軸受１３２に揉み玉２１が固定されている。
【００４５】
また、本実施形態の頸部温熱部２３には、突出部２３ａの代わりに突出軸１２３ａが外方向Ｘ１に突出するように形成されている。また、頸部温熱部２３の突出軸１２３ａの先端が、支持部２５の先端を中心として高さ方向Ｙに回動可能に、支持部２５の先端に取り付けられている。
【００４６】
また、頸部温熱部２３の上部（突出部２３ａよりも上方向Ｙ１に位置する部分）には、幅方向Ｘに弾性力を持つようにバネ５１が設けられている。バネ５１の両端のうち一端は頸部温熱部２３に固定され、他端は軸受１３２に固定されている。
【００４７】
また、頸部温熱部２３の下部（突出部２３ａよりも下方向Ｙ２に位置する部分）には、ワイヤ５２の一端が取り付けられている。また、軸受１３２、背部温熱部２２、ヒータ３０及びアーム２４には、ワイヤ５２を通すための穴１３２ｃ，２２ａ，３０ａ，２４ａが形成されている。そして、ワイヤ５２の両端のうち頸部温熱部２３に取り付けられていない一端は、穴１３２ｃ，２２ａ，３０ａ，２４ａを通って、図示しない駆動機器に取り付けられている。
【００４８】
そして、頸部温熱部２３の接触部２３ｃを頸部に接触させて頸部に熱を伝える際には、駆動機器が可動し、ワイヤ５２に外方向Ｘ１の張力がかけられるようになっている。このとき、駆動機器は、頸部温熱部２３の接触部２３ｃが頸部と接触する面積が広くなるように、接触部２３ｃが向く角度を調節するように、ワイヤ５２にかける張力を調節するようになっている。なお、頸部温熱部２３の接触部２３ｃが頸部と接触する面積が最も広くなるときは、接触部２３ｃの表面と、接触する頸部の表面が平行関係のときである。なお、本実施形態において頸部温熱部２３の接触部２３ｃが向く角度を調節するためのワイヤ５２と駆動機器が、調節機構として機能する。
【００４９】
以下、本実施形態における作用について説明する。
まず、ワイヤ５２に張力がかけられたときと、張力がかけられていないときの頸部温熱部２３の態様について、図８に基づき説明する。
【００５０】
ワイヤ５２に張力がかけられていないとき、図８（ａ）に示すように、バネ５１によって、頸部温熱部２３（の接触部２３ｃ）が所定の位置に位置するようになっている。
そして、ワイヤ５２に張力がかけられたとき、図８（ｂ）に示すように、頸部温熱部２３の下部が外方向Ｘ１に引っ張られ、支持部２５の先端を中心として下方向Ｙ２に回動する。このとき、前述したように、頸部温熱部２３の接触部２３ｃと、頸部が接触する面積が広くなるように、ワイヤ５２に張力がかけられる。
【００５１】
次に、本実施形態における頸部温熱部２３（の接触部２３ｃ）を人体の頸部に接触させて、頸部に対して温度刺激を付与する際の態様について、図９に基づき説明する。
頸部温熱部２３の接触部２３ｃを人体の頸部に接触させる際、接触部２３ｃが頸部と接触する面積が広くなるように、つまり、接触部２３ｃの表面と頸部表面が平行関係となるように、ワイヤ５２に張力をかけて接触部２３ｃが向く角度（方向）が調節される。そして、接触部２３ｃが向く角度が調節された状態で、接触部２３ｃを人体の頸部に接触させると、接触部２３ｃが向く角度を調節しない場合よりも接触部２３ｃが頸部と接触する面積が広くなる。それとともに、頸部温熱部２３の接触部２３ｃを、頸部表面に密着させることができ、頸部に熱を伝え易くなる。
【００５２】
本実施形態によれば、第１実施形態に記載の（３）の効果に加えて、以下の効果を奏することができる。
（６）頸部温熱部２３の接触部２３ｃを頸部に接触させる際には、接触部２３ｃと頸部が接触する面積が広くなるように接触面が向く角度が調節されるようにした。これにより、接触部２３ｃを頸部に接触させる際には、接触部２３ｃと頸部が接触する面積が広くなり、熱を頸部に伝え易くなる。
【００５３】
（７）頸部温熱部２３の接触部２３ｃによって頸部に熱を伝える際にのみ、接触部２３ｃの向く角度が調節されるようにするので、必要ないときに接触部２３ｃによって想定しない部位を温めてしまうようなことを防ぐことができる。また、頸部以外の部位（例えば、腰部など）をマッサージする際に、接触部２３ｃが障害（邪魔）にならないように接触部２３ｃが向く角度を調節することもできる。
【００５４】
（その他の実施形態）
なお、本発明の実施態様は上記各実施形態に限られるものではなく、例えば以下に示すように変更することもできる。また以下の変形例は、上記各実施形態についてのみ適用されるものではなく、異なる変形例同士を互いに組み合わせて実施してもよい。
【００５５】
・上記第１実施形態〜第４実施形態において、頸部温熱部２３の材料として熱伝導性の高い素材であれば、アルミニウムでなくても良い。また、金属である必要もない。
・上記第１実施形態において、頸部温熱部２３の接触部２３ｃを針金が平織り状に編み込まれた金網にする必要はない。例えば、頸部と対向する方向（主に、幅方向Ｘ）に弾性力を持つように構成されていれば、針金を綾織状に編み込まれた金網としても良い。
【００５６】
・上記第１実施形態において、接触部２３ｃの形状を、第３実施形態に記載されるように、人体の頸部の形状に合わせて湾曲させた形状に変更しても良い。これによって、接触部２３ｃをより頸部に接触させることができるとともに、接触する面積が広くなる。これによって、更に頸部に熱が伝わり易くなる。
【００５７】
・上記第２実施形態において、幅方向に弾性力を持つように介設されるのであれば、頸部温熱部２３と背部温熱部２２の間に、ばね以外の弾性部材（例えば、ゴムなど）を使用しても良い。また、弾性部材を支持部２５に挿入する必要もない。
【００５８】
・上記第３実施形態において、頸部温熱部２３の接触部２３ｃの形状が、幅方向Ｘより見たとき、横幅の長さよりも縦幅の長さが長ければ、頸部の形状に沿って湾曲させる必要はない。
【００５９】
・上記第４実施形態において、頸部をマッサージする際に接触部２３ｃが向く角度が変更されれば、どのような構成によって、その角度を調節するようにしても良い。例えば、モータの駆動によって、接触部２３ｃが向く角度を調節するようにしても良い。
【符号の説明】
【００６０】
１０…マッサージ機、１２…座部、１３…背もたれ部、２０…マッサージ機構、２１…揉み玉、２２…背部温熱部、２３…頸部温熱部、２３ｃ…接触部、２４…アーム、３０…ヒータ、４０…バネ、５１…バネ、５２…ワイヤ。
【図１】
2013106834.tif 000003
【図２】
2013106834.tif 000004
【図３】
2013106834.tif 000005
【図４】
2013106834.tif 000006
【図５】
2013106834.tif 000007
【図６】
2013106834.tif 000008
【図７】
2013106834.tif 000009
【図８】
2013106834.tif 000010
【図９】
2013106834.tif 000011